(57)【要約】  本開示は、下地面、例えば非限定的な例として、車道、歩道、または屋内の床材上での使用者の進行方向に基づいて使用者に方向性メッセージ表示を提供する方向性表面標識（１００）に備えるものである。いくつかの態様では、方向性メッセージ表示は、異なる色、テキスト、または記号を含んでいる場合があって、使用者は、進行の方向に依存する方向性表面標識上に、異なる方向性メッセージ表示を視認してもよい。いくつかの実施形態では、方向性表面標識は、輪郭層（１００）を含んでいる場合があって、輪郭層は、複数の輪郭（１１５，１２０）を含んでいてもよく、これらの輪郭は、方向性メッセージ表示の付着を可能にする場合がある。【選択図】図１Ａ
2020526693.tif 000002
【特許請求の範囲】
【請求項１】
その表面形状が、少なくとも第１の方向性メッセージ表示および第２の方向性メッセージ表示を可能する、下地面に平行に位置する輪郭層であって：
使用者が第１の方向に下地面を横切るさいに視認可能な第１の方向性メッセージ表示を提供する第１の被膜を含む第１の輪郭であって、少なくとも二つの第１の輪郭色が前記第１の方向性メッセージ表示を伝達し、前記第１の方向性メッセージ表示が一つまたは複数のテキストまたは記号を含み、そして前記少なくとも二つの第１の輪郭色がその上に位置する第１の輪郭と、
使用者が第２の方向に下地面を横切るさいに視認可能な前記第２の方向性メッセージ表示を提供する第２の被膜を含む第２の輪郭であって、少なくとも一つの第２の輪郭色が第２の方向性メッセージ表示を伝達し、そして少なくとも一つの第２の輪郭色がその上に位置する第２の輪郭と、
を少なくとも含む輪郭層を含む、方向性表面標識装置。
【請求項２】
前記輪郭層の少なくとも一部分が、前記下地面の中に一体化される、請求項１に記載の方向性表面標識装置。
【請求項３】
前記方向性表面標識装置の長さが前記方向性表面標識装置の幅を超える縦の形状を含む、請求項１に記載の方向性表面標識装置。
【請求項４】
前記方向性表面標識装置の幅が前記方向性表面標識装置の長さを超える横の形状を含む、請求項１に記載の方向性表面標識装置。
【請求項５】
前記下地面と前記輪郭層との間に位置する適合層をさらに含む、請求項１に記載の方向性表面標識装置。
【請求項６】
前記適合層に取付けられた粘着層をさらに含み、前記粘着層が前記下地面に取付くように構成される、請求項６に記載の方向性表面標識装置。
【請求項７】
使用者が第２の方向に前記下地面を横切るさいに視認可能な第２の方向性メッセージ表示を第２の被膜が提供する、請求項１に記載の方向性表面標識装置。
【請求項８】
前記輪郭層の少なくとも一部分が再帰反射材内に被覆される、請求項１に記載の方向性表面標識装置。
【請求項９】
前記下地面が車道を含む、請求項１に記載の方向性表面標識装置。
【請求項１０】
前記第１の輪郭および前記第２の輪郭が、車両に乗って前記下地面を横切る前記使用者により視認可能であるように構成される、請求項１１に記載の方向性表面標識装置。
【請求項１１】
前記第１の輪郭および前記第２の輪郭が、歩行者として前記下地面を横切る前記使用者による視認可能であるように構成される、請求項１２に記載の方向性表面標識装置。
【請求項１２】
前記第１の方向性メッセージ表示が、前記下地面を横切る交通の流れに関連する情報を提供する、請求項１１に記載の方向性表面標識装置。
【請求項１３】
前記第１の方向が、車両交通の逆走方向を含む、請求項１１に記載の方向性表面標識装置。
【請求項１４】
前記下地面が歩行者歩道を含む、請求項１に記載の方向性表面標識装置。
【請求項１５】
前記第１の輪郭および前記第２の輪郭が、歩行者として前記下地面を横切る前記使用者により視認可能であるように構成される、請求項１６に記載の方向性表面標識装置。
【請求項１６】
二次的な警報機構をさらに含む、請求項１に記載の方向性表面標識装置。
【請求項１７】
前記二次的な警報機構が、方向性の振動的警報を含み、前記使用者が前記第１の方向に前記下地面を横切るさいに、第１の振動的警報が知覚可能であり、前記使用者が前記第２の方向に前記下地面を横切るさいに、第２の振動的警報が知覚可能である、請求項１８に記載の方向性表面標識装置。
【請求項１８】
前記二次的な警報機構が、方向性の聴覚的警報を含み、前記使用者が前記第１の方向に前記下地面を横切るさいに、第１の聴覚的警報が知覚可能であり、前記使用者が前記第２の方向に前記下地面を横切るさいに、第２の聴覚的警報が知覚可能である、請求項１８に記載の方向性表面標識装置。
【請求項１９】
前記第１の輪郭が第１の一連の角度を含み、前記第２の輪郭が第２の一連の角度を含む、請求項１に記載の方向性表面標識装置。
【請求項２０】
前記輪郭層が可撓性の素材を含む、請求項１に記載の方向性表面標識装置。
【発明の詳細な説明】
【技術分野】
【０００１】
関連出願の相互参照
本出願は、米国仮特許出願第６２／５１８，１１２号明細書（２０１７年６月１２日に、「二色型道路標識表示器安全装置（ＤＵＡＬ  ＣＯＬＯＲ  ＲＯＡＤ  ＭＡＲＫＥＲ  ＳＡＦＥＴＹ  ＤＥＶＩＣＥ）」と題して仮出願されたもの）への優先権およびその完全な利益を主張し、その内容全体は、参照により本明細書に援用される。
【背景技術】
【０００２】
自動車の登場以来、自動車運転者は、自動車事故の原因となってきた、またはこれを経験してきた。正面衝突は、最も致命的な事故の種類の一部である。これらの事故はもっとも一般的には、自動車運転者が、分岐した高速道路に、または一方通行道路に、逆走方向で侵入する場合に発生する。これらの事故は、障害のあるまたは高齢の自動車運転者により不均衡に生じる。結果として、逆走方向に意図せずに進行する自動車運転者に警報する必要性が大いにある。
【０００３】
自動車運転者、自転車通行者、および歩行者は、自身を道路、通行帯、経路、または廊下に案内するさまざまなインフラストラクチャ構成要素、例えば、標示、標識、および標識表示器を利用している。最も効果的な構成要素の一つは、表面標識または表面標識表示器のそれである。車道上に付けられた最も一般的なタイプの表面標識は、縦および横の線、記号、メッセージ、および、隆起したまたは埋め込まれた舗道標識表示器である。これらの標識は、視認者の要望に特化した案内および注意喚起メッセージの両方を提供する。鉛直に掲示された標示とは異なり、表面標識は、表面上に水平に付けられて視認される。この結果、いずれの方向に進行する視認者も、同じ視覚メッセージを受けとる。これらのタイプの標識は、せいぜい有効性が限られている。最悪の場合には、これらのタイプの標識は視認者を混乱させ、視認者に対する安全性に影響する。
【０００４】
標識の色および内容は、視認者への明確で簡潔なメッセージを提供するためのもう一つの重要な要因である。これらの標識の色は、非常に重要な案内および注意喚起情報を自動車運転者に提供する。黄色の標識は、反対方向に進行する交通を分岐させる。白色の標識は、横のそして縁の線、記号、メッセージ、および、同じ方向に進行する交通を分岐させるのに使用される。赤色は、使用される場合には、「危険」を表示し、しばしば、止まれ、進入禁止、または逆走の注意喚起を伴っている。
【０００５】
車道上で恐ろしい事故を低減させる取り組みでは、いくつかの部局が、限定的な現場、例えば、選択高速道路出口ランプに置かれたレーダーシステムのもののようなインテリジェント輸送装置を配置した。これらは、逆走方向への進行を検出し、デジタル注意喚起標示を起動させる。これらは非常に効果的ではあるが、極めて高価であり、限られた環境にしか設置することができない。
【０００６】
現行の形式での車道標識は、逆走方向に進行する自動車運転者を防ぐまたは警報する手をほとんど打っていない。縦および横の通行帯の線は、進路の方向の明確な向きを知らせるわけではない。記号および凡例の向きは、進行方向のいくぶんかの被視認性を、通常の健常な自動車運転者にはたしかに提供するが、障害のある自動車運転者には、ほんのわずか効果的なだけで、ほとんど識別不可能である。部局は、追加の従来型の双方向性車道標識を設置することに積極的でなく、これは、それらの標識が、順走方向に進行する自動車運転者を注意散漫にする、または混乱させることにかかわるからである。
【０００７】
追加の隆起したまたは埋め込まれた標識表示器は、夜間、または悪天候の条件下で標識を識別するさいにドライバーの手助けとなるよう、通行帯の線上に、またはこれに平行に周期的に設置される。これらの標識表示器は伝統的に、置かれた標識表示器の下または隣の線と同じ色である。いくつかの部局は、逆走方向の警報を支援するために、一方向には白、そしてもう一方向には赤を標示する双方向性標識標示器を利用している。しかしながら、４０フィート（１２．２ｍ）センターで８平方インチ（５１．６平方センチメートル）未満の表示色という規格では、これらの標識表示器は多くの場合、不充分な警報装置であることが見出されている。
【０００８】
現状、視認者の進行の方向に依存する一方向性メッセージを伴う双方向性標識を提供するように具体的に設計された装置はない。表面標識または表面標識表示器は、両方向から見える単一のメッセージを提供することに限定されている。
【発明の概要】
【課題を解決するための手段】
【０００９】
必要とされているのは、被視認性の高い、明確で、簡潔なメッセージまたは警報を、自動車運転者、視認者、または使用者に提供する装置およびシステムである。このことは、そうした警報を提供するさいに、これらの自動車運転者に特有の運転および視認の癖を考慮しなければならないことを意味する。本開示の一つの用途は、車道上の逆走運転事象を低減させるためのものである。本開示は、意図しない使用者には、注意散漫または混乱を引き起こすことなく、これを完遂する可能性がある。このシステムおよび装置は、たいていの予算および環境の部局には手頃な価格であって使用可能なものであろう。
【００１０】
本開示は、下地面、例えば非限定的な例として、車道、歩道、または屋内の床材上での、使用者の進行方向に基づいて、方向性メッセージ表示を使用者に提供する方向性表面標識に備えるものである。いくつかの態様では、方向性メッセージ表示は、異なる色、テキスト、または記号を含んでいる場合があって、使用者は、進行方向に依存する方向性表面標識上で異なる方向性メッセージ表示を視認してもよい。いくつかの実施形態では、方向性表面標識は、輪郭層を含んでいる場合があって、輪郭層は複数の輪郭を含んでいてもよく、これらの輪郭には、方向性メッセージ表示を付けることが可能になる場合がある。
【００１１】
本開示はまた、歩行者の案内および注意喚起に使用されてもよい。多くの歩行者通路は、公共公園や大きな公共建物、例えば病院の廊下におけるように、非常に複雑で、進行中の歩行者を混乱させる可能性がある。現状では主に、周期的に掲載された鉛直および水平の看板により、案内が提供されている。歩行者は、方向または案内を知らせる標示どうしの間の数ヤード分の通路または廊下を横切ることが必要になる場合も多い。いくつかのもっと大きな施設では表面に付けられた連続したビニールの色分けテープが、さまざまな部署へのそうした案内を知らせるのに使用されている。しかしながら、どの方向がその部署であり、どれが出口であるかを判断するのは難しい。これらの方法は、歩行者をいらだたせる原因となるだけでなく、緊急に脱出しなければならない場合には危険となる。
【００１２】
本開示はまた、自転車道および自転車通行帯上の逆走サイクリング事象を低減させる場合がある。自転車道および自転車通行帯の設置および使用は、世界的に劇的に増加している。自転車道は、一方通行の車道のそれのように通常は一方向性である。標準的な白色の標識が使用されており、舗道標識表示器は、自転車の車輪がたわむという課題のせいで使用されていない。自転車道は、車道でのサイクリング速度が過剰であることおよび身体防護が限定的であることもあって、逆走方向に進行する場合には危険であり得る。これらの経路には、自転車の著しいホイールたわみを伴うことなしに、逆走方向への進行を知らせる警報が必要である。
【００１３】
本開示は、下地面に平行に配置される輪郭層であって：使用者が第１の方向に下地面を横切るさいに視認可能な第１の方向性メッセージ表示を提供する第１の被膜を含む第１の輪郭と、第２の被膜を含む第２の輪郭と、を少なくとも含む輪郭層を含む、方向性表面標識装置に関する。いくつかの態様では、下地面の上側部分が輪郭層を含んでいてもよい。いくつかの実施形態では、方向性表面標識装置は、方向性表面標識装置の長さが方向性表面標識装置の幅を超える縦の形状を含んでいてもよい。いくつかの実装では、方向性表面標識装置は、方向性表面標識装置の幅が方向性表面標識装置の長さを超える横の形状を含んでいてもよい。
【００１４】
いくつかの態様では、第１の方向性メッセージ表示は、一つまたは複数のテキスト、色、または記号を含んでいてもよい。いくつかの実施形態では、方向性表面標識装置は、輪郭層の基部に取付けられた適合層をさらに含んでいてもよい。いくつかの実装では、方向性表面標識装置は、適合層に取付けられた粘着層をさらに含んでいてもよく、粘着層は、下地面に取付くように構成される。
【００１５】
いくつかの実施形態では、第２の被膜は、使用者が第２の方向に下地面を横切るさいに視認可能な第２の方向性メッセージ表示を提供してもよい。いくつかの実装では、第２の方向性メッセージ表示は、一つまたは複数のテキスト、色、または記号を含んでいてもよい。いくつかの態様では、少なくとも輪郭層の一部分が再帰反射材内に被覆されてもよい。いくつかの実施形態では、下地面は、車道を含んでいる場合あって、例えば、第１の輪郭および第２の輪郭が、車両に乗って下地面を横切る使用者により視認可能であるように構成されてもよい。
【００１６】
いくつかの実装では、第１の輪郭および第２の輪郭は、歩行者として下地面を横切る使用者により視認可能であるように構成されてもよい。いくつかの実施形態では、第１の方向性メッセージ表示は、下地面を横切る交通の流れに関連する情報を提供してもよい。いくつかの態様では、第１の方向は、車両交通の逆走方向を含んでいてもよい。
【００１７】
いくつかの実施形態では、下地面は歩行者歩道を含んでいる場合があって、例えば、第１の輪郭および第２の輪郭が、歩行者として下地面を横切る使用者により視認可能であるように構成されてもよい。いくかの態様では、方向性表面標識装置は、二次的な警報機構をさらに含んでいてもよい。いくつかの実施形態では、二次的な警報機構は、方向性の振動的警報を含んでいてもよく、使用者が第１の方向に下地面を横切るさいに、第１の振動的警報が知覚可能であり、そして使用者が第２の方向に下地面を横切るさいに、第２の振動的警報が知覚可能である。いくつかの実装では、二次的な警報機構は、方向性の聴覚的警報を含んでいてもよく、使用者が第１の方向に下地面を横切るさいに、第１の聴覚的警報が知覚可能であり、そして使用者が第２の方向に下地面を横切るさいに、第２の聴覚的警報が知覚可能である。
【００１８】
本明細書内に組み込まれ、そしてその一部を構成する添付図面は、開示のいくつかの実施形態を例示するものであり、記載を添えることで、本開示の原理を説明するのに役立つ：
【図面の簡単な説明】
【００１９】
【図１Ａ】図１Ａに、本開示のいくつかの実施形態による、代表的な方向性表面標識の断面を例示する。
【図１Ｂ】図１Ｂに、本開示のいくつかの実施形態による、代表的な方向性表面標識の断面を例示する。
【図２】図２Ａに、代表的な縦の方向性表面標識の第１の図を例示するが、第１の図は、使用者が第１の方向に下地面を横切るさいに、知覚可能であってもよい。  図２Ｂに、代表的な縦の方向性表面標識の第２の図を例示するが、第２の図は、使用者が第２の方向に下地面を横切るさいに、知覚可能であってもよい。
【図３】図３Ａに、代表的な縦の方向性表面標識の第１の図を例示するが、第１の図は、使用者が第１の方向に下地面を横切るさいに、知覚可能であってもよい。  図３Ｂに、代表的な縦の方向性表面標識の第２の図を例示するが、第２の図は、使用者が第２の方向に下地面を横切るさいに、知覚可能であってもよい。
【図４】図４Ａに、代表的な縦の方向性表面標識の第１の図を例示するが、第１の図は、使用者が第１の方向に下地面を横切るさいに、知覚可能であってもよい。  図４Ｂに、代表的な縦の方向性表面標識の第２の図を例示するが、第２の図は、使用者が第２の方向に下地面を横切るさいに、知覚可能であってもよい。
【図５】図５Ａに、代表的な縦の方向性表面標識の第１の図を例示するが、第１の図は、使用者が第１の方向に下地面を横切るさいに、知覚可能であってもよい。  図５Ｂに、代表的な縦の方向性表面標識の第２の図を例示するが、第２の図は、使用者が第２の方向に下地面を横切るさいに、知覚可能であってもよい。
【図６】図６Ａに、代表的な方向性表面標識の第１の図を例示するが、第１の図は、使用者が第１の方向に下地面を横切るさいに、知覚可能であってもよい。  図６Ｂに、代表的な方向性表面標識の第２の図を例示するが、第２の図は、使用者が第２の方向に下地面を横切るさいに、知覚可能であってもよい。
【図７】図７Ａに、代表的な矢印型方向性表面標識の第１の図を例示するが、第１の図は、使用者が第１の方向に下地面を横切るさいに、知覚可能であってもよい。  図７Ｂに、代表的な矢印型方向性表面標識の第２の図を例示するが、第２の図は、使用者が第２の方向に下地面を横切るさいに、知覚可能であってもよい。
【図８】図８Ａに、代表的な横の方向性表面標識の第１の図を例示するが、第１の図は、使用者が第１の方向に下地面を横切るさいに、知覚可能であってもよい。  図８Ｂに、代表的な横の方向性表面標識の第２の図を例示するが、第２の図は、使用者が第２の方向に下地面を横切るさいに、知覚可能であってもよい。
【図９】図９Ａに、代表的な横の方向性表面標識の第１の図を例示するが、第１の図は、使用者が第１の方向に下地面を横切るさいに、知覚可能であってもよい。  図９Ｂに、代表的な横の方向性表面標識の第２の図を例示するが、第２の図は、使用者が第２の方向における下地面を横切るさいに、知覚可能であってもよい。
【図１０】図１０Ａに、代表的な方向性表面標識のシステムの第１の図を例示するが、第１の図は、使用者が第１の方向に下地面を横切るさいに、知覚可能であってもよい。  図１０Ｂに、代表的な方向性表面標識のシステムの第２の図を例示するが、第２の図は、使用者が第２の方向に下地面を横切るさいに、知覚可能であってもよい。
【図１１】図１１Ａに、代表的な方向性表面標識のシステムの第１の図を例示するが、第１の図は、使用者が第１の方向に下地面を横切るさいに、知覚可能であってもよい。  図１１Ｂに、代表的な方向性表面標識のシステムの第２の図を例示するが、第２の図は、使用者が第２の方向に下地面を横切るさいに、知覚可能であってもよい。
【図１２】図１２Ａに、代表的な方向性表面標識のシステムの第１の図を例示するが、第１の図は、使用者が第１の方向に下地面を横切るさいに、知覚可能であってもよい。  図１２Ｂに、代表的な方向性表面標識のシステムの第２の図を例示するが、第２の図は、使用者が第２の方向に下地面を横切るさいに、知覚可能であってもよい。
【図１３】図１３Ａに、代表的な鉛直の方向性表面標識の第１の図を例示するが、第１の図は、使用者が第１の方向に下地面を横切るさいに、知覚可能であってもよい。  図１３Ｂに、代表的な鉛直の方向性表面標識の第２の図を例示するが、第２の図は、使用者が第２の方向に下地面を横切るさいに、知覚可能であってもよい。
【図１４】図１４Ａに、代表的な鉛直の方向性表面標識のシステムの第１の図を例示するが、第１の図は、使用者が第１の方向に下地面を横切るさいに、知覚可能であってもよい。  図１４Ｂに、代表的な鉛直の方向性表面標識のシステムの第２の図を例示するが、第２の図は、使用者が第２の方向に下地面を横切るさいに、知覚可能であってもよい。
【図１５】図１５Ａに、本開示のいくつかの実施形態による、方向性表面標識を製造するための代表的なモールドシステムを例示する。  図１５Ｂに、代表的な方向性表面標識を例示するが、方向性表面標識は、モールドシステムから製造されてもよい。  図１５Ｃに、代表的な方向性表面標識を例示するが、方向性表面標識は、モールドシステムから製造されてもよい。
【図１６】図１６に、代表的なカレンダーシ加工ステムを例示するが、カレンダー加工システムは、方向性表面標識を製造するのに使用してもよい。
【図１７】図１７に、代表的なローラーを例示するが、ローラーは、方向性表面標識を作り出すために、下地面上で直接使用されてもよい。
【図１８】図１８に、方向性表面標識に塗料を付着させるための代表的な塗装機構を例示するが、第１の輪郭への塗料の付着によって、方向性メッセージ表示が加えられてもよい
【発明を実施するための形態】
【００２０】
本開示は概して、改良された標識システムを準備するものである。より詳細には、本開示は、方向性メッセージ表示を提供してもよい方向性表面標識に関する。
【００２１】
以下の節においては、本開示の実施例および方法の詳細な記載が与えられることになる。好ましくもあり代替にもなる実施例の説明は徹頭徹尾、代表的なものでしかなく、変形例、修正例、および代替例が当業者には明らかであってもよいことは理解される。したがって、実施例は、請求項により定められるとおりの基礎開示の態様の広さを限定しないものと理解されることになる。
用語集
使用者：本明細書で使用されるとおり、方向性表面標識と対話してもよい個人を指す。いくつかの実施形態では、使用者は、非限定的な例として、歩行者、自転車通行者、自動車運転者、または乗客を含んでいてもよい。
方向性表面標識：本明細書で使用されるとおり、方向性メッセージ表示を使用者に提供してもよいシステムまたは装置を指し、第１の方向に下地面を横切る使用者は、第１の方向性メッセージを知覚してもよく、第２の方向に下地面を横切るものは、第２の方向性メッセージを知覚してもよい。
下地面：本明細書で使用されるとおり、横切ることが可能な表面を指し、方向性表面標識は、水平に、例えば下地面に平行に設置されてもよく、または鉛直に、例えば下地面から延在する構造に一体化されてもよい。
輪郭層：本明細書で使用されるとおり、方向性表面標識の上層を指し、この層は、方向性メッセージ表示が許されてもよい表面形状を含んでいてもよい。いくつかの態様では、輪郭層は、複数の輪郭を含んでいる場合があって、各輪郭は、方向性メッセージを提供してもよい。例えば、第１の輪郭は、白い点線を用いて塗装された一方向に面する一連の傾斜面を含んでいてもよく、第２の輪郭は、テキスト「逆走方向」を用いて塗装された反対方向に面する一連の傾斜面を含んでいてもよい場合があって、第１の輪郭に面することで、使用者が白い点線に気づくことが可能になり、第２の輪郭に面することで、使用者が「逆走方向」に気づくことが可能になる場合もある。
方向性メッセージまたは方向性メッセージ表示：本明細書で使用されるとおり、方向性表面標識により提供された情報の表示を指し、第１の方向から方向製表面標識を視認することで、第１の方向性メッセージが提供されてもよく、そして第２の方向から方向性表面標識を視認することで、第２の方向性メッセージが提供されてもよい。いくつかの実施形態では、方向性メッセージは、非限定的な例として、一つまたは複数のパターン、記号、テキスト、または色を含んでいてもよい。
【００２２】
図１Ａ〜１Ｂを参照すると、代表的な方向性表面標識１００の断面が例示されている。いくつかの態様では、方向性表面標識１００は、上層として輪郭層１１０を含んでいる場合があって、輪郭層１１０は、第１の輪郭１１５と第２の輪郭１２０とを含んでいてもよい。いくつかの実施形態では、第１の輪郭１１５は、塗料または材料内に被覆されている場合があって、被膜は、使用者が第１の方向に下地面を横切るさいに、視認可能であってもよい。いくつかの態様では、第２の輪郭１２０は、塗料または材料内に被覆されている場合があって、被膜は、使用者が第２の方向に下地面を横切っているさいに、視認可能であってもよい。いくつかの実装では、第１の方向は、第２の方向の反対方向であってもよい。
【００２３】
いくつかの態様では、輪郭層１１０は、方向性表面標識１００の一つまたは複数の特徴、例えば非限定的な例として、塗料、または可視性もしくは耐久性を強化してもよい材料を用いて被覆されてもよい。例えば、輪郭層１１０は、輪郭層１１０の可視性を強化してもよい再帰反射材を用いて被覆されている場合があって、下地面が、車両、または携帯照明を持った使用者により横切られてもよい。例えば、下地被膜は、顔料を含んでいてもよく、そしてトップコート被膜は、ガラス製微小球を含んでいてもよい。いくつかの実施形態では、輪郭層１１０は、可撓性の素材、例えば非限定的な例として、ポリマー、ゴム、エポキシ、またはアクリル製のものを含んでいてもよい。いくつかの実装では、少なくとも輪郭層１１０の一部分は、剛性材料、例えばセメント、アスファルト、ガラス、または他の剛性材料を含んでいてもよい。
【００２４】
いくつかの実装では、方向性表面標識１００は、複数の層を含んでいてもよい。いくつかの実施形態では、方向性表面標識１００は、適合層１３０と粘着層１４０とを含んでいてもよい。いくつかの態様では、粘着層１４０は、下地面内に方向性表面標識１００を設置できるようになっていてもよい。例えば、方向性表面標識１００は、非限定的な例として、接着剤による接着、熱接着を通じて取付けられてもよく、または機械的に締結されてもよい。いくつかの実施形態では、設置の方法は、下地面、例えば非限定的な例として、コンクリートの歩道、アスファルト道路、または屋内の床材に依存してもよい。
【００２５】
いくつかの実施形態では、方向性表面標識１００は、一つまたは複数の製造技術、例えば非限定的な例として、圧縮、カレンダー加工、押出、注入、転写、または３Ｄ印刷を通じて製造されてもよい。いくつかの実装では、製造の方法は、その適用、例えば下地面のタイプに依存してもよく、これは、アスファルト道路上に方向性表面標識１００を設置するには、屋内の歩行者専用歩道上とは異なる要望がある場合があるからである。
【００２６】
いくつかの態様では、第１および第２の輪郭の角度および高さは、用途に依存してもよい。例えば、下地面が車道を含んでいる可能性がある場合には、高さは、下地面上を運転できることの妨げとならないよう充分低い必要がある場合があり、角度は、ドライバーおよび乗客に知覚できる必要がある場合がある。別の実施例としては、下地面が屋内の歩道を含んでいる可能性がある場合には、高さは、歩行者がよろけるまたはつまずくことのないよう充分低い必要がある場合があり、角度は、さまざまなサイズの歩行者、例えば車椅子に座している可能性がある人にも知覚できる必要がある場合がある。
【００２７】
例示的な実施例としては、方向性表面標識１００は、車道上に設置されている場合があって、使用者は、車両に乗って下地面を横切ってもよい。ドライバーおよび乗客は、進行方向に面していてもよい急峻な輪郭を視認できてもよい。例えば、第１の輪郭１１５は、一連の６５度の角度を含んでいてもよく、そして第２の輪郭１２０は、一連の３５度の角度を含んでいてもよい。
【００２８】
図２Ａ〜２Ｂを参照すると、代表的な縦の方向性表面標識２００が例示されており、図２Ａおよび図２Ｂには、反対方向からの縦の方向性表面標識２００の図が例示されている。いくつかの態様では、図２Ａに例示されるとおり、第１の方向に下地面を横切ることで、第１の色２０５、例えば下地面に溶け込んでもよいものが示されてもよい。いくつかの実施形態では、図２Ｂに例示されるとおり、第２の方向に下地面を横切ることで、第１の方向性メッセージ２１０、例えば、車両が逆走方向に車道を横切っていることを示していてもよい色表示器が示されてもよい。
【００２９】
図３Ａ〜３Ｂを参照すると、代表的な縦の方向性表面標識３００が例示されており、図３Ａおよび図３Ｂには、反対方向からの縦の方向性表面標識３００の図が例示されている。いくつかの実装では、図３Ａに例示されるとおり、第１の方向に下地面を横切ることで、第１の色３０５、例えば、下地面に溶け込んでもよいものが示されてもよい。いくつかの実施形態では、図３Ｂに例示されるとおり、第２の方向に下地面を横切ることで、第１の方向性メッセージ３１０、例えば、車両が逆走方向に車道を横切っていることを示していてもよいテキスト表示器が示されてもよい。
【００３０】
図４Ａ〜４Ｂを参照すると、代表的な縦の方向性表面標識４００が例示されており、図４Ａおよび図４Ｂには、反対方向からの縦の方向性表面標識４００の図が例示されている。いくつかの実施形態では、図４Ａに例示されるとおり、第１の方向に下地面を横切ることで、第１の色４０５、例えば下地面に溶け込んでもよいものが示されてもよい。いくつかの実施形態では、図４Ｂに例示されるとおり、第２の方向に下地面を横切ることで、第１の方向性メッセージ４１０、例えば、車両が逆走方向に車道を横切っていることを示していてもよい記号表示器が示されてもよい。
【００３１】
図５Ａ〜５Ｂを参照すると、代表的な縦の方向性表面標識５００が例示されており、図５Ａおよび図５Ｂには、反対方向からの縦の方向性表面標識５００の図が例示されている。いくつかの実装では、図２Ａに例示されるとおり、第１の方向に下地面を横切ることで、第１の色５０５、例えば、下地面に溶け込んでもよいものが示されてもよい。いくつかの実施形態では、図５Ｂに例示されるとおり、第２の方向に下地面を横切ることで、第１の方向性メッセージ５１０、例えば、車両が逆走方向に車道を横切っていることを示していてもよい色縞表示器が示されてもよい。
【００３２】
図６Ａ〜６Ｂを参照すると、代表的な方向性表面標識６００が例示されており、図６Ａおよび図６Ｂには、反対方向からの方向性表面標識６００の図が例示されている。いくつかの態様では、図６Ａに例示されるとおり、第１の方向に下地面を横切ることで、第１の方向性メッセージ６０５、例えば、対照をなす背景に対して方向転換通行帯を表示していてもよいものが示されてもよい。いくつかの実施形態では、図６Ｂに例示されるとおり、第２の方向に下地面を横切ることで、第２の方向性メッセージ６１０、例えば、車両が逆走方向に車道を横切っていることを表示していてもよい、記号とテキストとの組み合わせが示されてもよい。
【００３３】
図７Ａ〜７Ｂを参照すると、代表的な矢印型方向性表面標識７００が例示されており、図７Ａおよび図７Ｂには、反対方向からの方向性表面標識７００の図が例示されている。いくつかの態様では、図７Ａに例示されるとおり、第１の方向に下地面を横切ることで、第１の色７０５、例えば、下地面と対照をなしていてもよいものが示されてもよい。いくつかの実施形態では、図７Ｂに例示されるとおり、第２の方向に下地面を横切ることで、第１の方向性メッセージ７１０と第２の方向性メッセージ７２０、例えば、車両が逆走方向に車道を横切っていることを示していてもよい色表示器が示されてもよい。
【００３４】
図８Ａ〜８Ｂを参照すると、代表的な横の方向性表面標識８００が例示されており、図８Ａおよび図８Ｂには、反対方向からの方向性表面標識８００の図が例示されている。いくつかの実装では、図８Ａに例示されるとおり、第１の方向に下地面を横切ることで、第１の色８０、例えば、下地面に溶け込んでもよいものが示されてもよい。いくつかの実施形態では、図８Ｂに例示されるとおり、第２の方向に下地面を横切ることで、第１の方向性メッセージ８１０、例えば、車両が逆走方向に車道を横切っていることを示していてもよい記号とテキストとの組み合わせが示されてもよい。
【００３５】
図９Ａ〜９Ｂを参照すると、代表的な横の方向性表面標識９００が例示されており、図９Ａおよび図９Ｂには、反対方向からの方向性表面標識９００の図が例示されている。いくつかの態様では、図９Ａに例示されるとおり、第１の方向に下地面を横切ることで、第１の色９０５、例えば、下地面に溶け込んでもよいものが示されてもよい。いくつかの実施形態では、図９Ｂに例示されるとおり、第２の方向に下地面を横切ることで、第１の方向性メッセージ９１０、例えば、車両が逆走方向に車道を横切っていることを示していてもよい色表示器が示されてもよい。
【００３６】
図１０Ａ〜１０Ｂを参照すると、方向性表面標識１０２０、１０４０、１０６０の代表的なシステム１０００が例示されており、図１０Ａおよび図１０Ｂには、反対方向からの方向性表面標識１０２０、１０４０、１０６０の図が例示されている。いくつかの態様では、システム１０００は、車道１０１０に一体化されている場合があって、交通の方向性表面標識１０２０は、交通の流れに関連する方向性メッセージ表示を含んでいてもよい。例えば、順走方向に車道１０１０を下っていく交通に対しては、交通の方向性表面標識１０２０は、対照をなす縁取りを伴った白線１０２５を含んでいてもよく、これは自動化車両の案内が可能であってもよいものである。逆走方向に車道１０１０を下っていく交通に対しては、交通の方向性表面標識１０２０は、逆走の方向性メッセージ表示１０３０を含んでいてもよく、これはテキストと記号との組み合わせを含んでいてもよいものである。
【００３７】
いくつかの実施形態では、交通の方向性表面標識１０２０は、追加機能、例えば安全性を高めること、または案内を提供することに関連するものを提供してもよい。例えば、交通の方向性表面標識１０２０は、交通の方向性表面標識１０２０上を横切っていてもよい車両向けに振動的または聴覚的警報を提供する場合があって、警報は、車道１０１０からそれらの車両が急にはみでようとしていることを使用者に表示してもよい。いくつかの実装では、輪郭層は、追加機能を提供してもよい。いくつかの態様では、輪郭層は、進行方向に基づいて異なるレベルの警報を可能にするように構成されてもよい。例えば、振動的警報は、車道１０１０上で逆走進行する使用者に対してさらに強力であってもよい。
【００３８】
いくつかの態様では、システム１０００は、自転車通行者通行帯を含んでいてもよく、この通行帯は一つまたは複数の方向性表面標識１０４０、１０６０を含んでいてもよいものである。いくつかの実施形態では、自転車通行者方向性表面標識１０４０、１０６０は、自転車通行者通行帯についての情報を提供してもよい。例えば、自転車通行者通行帯内に、縦の自転車通行者方向性表面標識１０４０が設置されてもよく、自転車通行者通行帯に隣接して、矩形の自転車通行者方向性表面標識１０６０が設置されてもよい。
【００３９】
いくつかの実施形態では、交通の流れとともに順走方向に進行する自転車通行者に対しては、縦の自転車通行者方向性表面標識１０４０は、自転車通行者が通行帯内の通行を許されていて順走方向に進行していることを示していてもよい、記号の方向性メッセージ１０４５を含んでいてもよく、逆走方向に進行する自転車通行者に対しては、縦の自転車通行者方向性表面標識１０４０は、自転車通行者が逆走方向に進行していることを示していてもよい、記号の方向性メッセージ１０５０を含んでいてもよい。方向性メッセージ１０４５は、歩行者が自転車通行者通行帯上の通行を禁止されていることをさらに表示してもよい。矩形の自転車通行者方向性表面標識１０６０は、同様の方向性メッセージ表示１０６５、１０７０を含んでいる場合があって、順走方向に進行する自転車通行者が、自転車通行者の記号を知覚してもよく、そして逆走方向を進行する自転車通行者が、「逆走」を指示しているテキストを知覚してもよい。
【００４０】
図１１Ａ〜１１Ｂを参照すると、方向性表面標識１１００、１１３０、１１６０の代表的なシステムが例示されており、図１１Ａおよび図１１Ｂには、反対方向からの方向性表面標識１１００、１１３０、１１６０の図が例示されている。いくつかの態様では、方向性表面標識１１００、１１３０、１１６０は、歩行者通路上、例えば遊園地内のものの上に設置されてもよい。いくつかの態様では、使用者が遊園地に入ろうとしていて、公園のさまざまなエリアまで進むのに必要な方向がどれなのか迷う場合がある。いくつかの実施形態では、方向性表面標識１１００、１１３０、１１６０は、歩道上に設置されている場合があって、使用者は、入口の方向性メッセージ表示１１１０、１１４０、１１７０に基づいて、公園のさまざまな部分を指示される場合がある。例えば、使用者は、乗り物の場所に到達するには左、食事の場所に達するにはまっすぐ、そしてゲームの場所に達するには右を指示される場合がある。
【００４１】
いくつかの実装では、遊園地を出ようとしている使用者は、出口の方向性メッセージ表示１１２０、１１５０、１１８０により指示される場合があって、方向性表面標識１１００、１１３０、１１６０は、主要エリアから遠ざかる方向に使用者が下地面を横切っているさいに、出口を表示してもよい。いくつかの態様では、出口の方向性メッセージ表示１１２０、１１５０、１１８０は、記号とテキストとの組み合わせを含んでいてもよく、これにより、使用者への案内が明瞭に提供される場合がある。いくつかの態様では、出口の方向性メッセージ表示１１２０、１１５０、１１８０および入口の方向性メッセージ表示１１１０、１１４０、１１７０の一方または両方は、低視認性の条件、例えば非限定的な条件として、夜間、霧、または嵐の中での可視性を強化してもよい材料内に被覆されてもよい。
【００４２】
図１２Ａ〜１２Ｂを参照すると、方向性表面標識１２００、１２２０、１２４０、１２６０の代表的なシステムが例示されており、図１２Ａおよび図１２Ｂには、反対方向からの方向性表面標識１２００、１２２０、１２４０、１２６０の図が例示されている。いくつかの態様では、方向性表面標識１２００、１２２０、１２４０、１２６０は、歩行者通路上、例えば病院の屋内のものに設置されてもよい。いくつかの実施形態では、使用者は、病院の屋内での進路を決める必要である場合があって、各指示が病院のさまざまなエリアに導いてもよく、方向性表面標識１２００、１２２０、１２４０、１２６０が、使用者に指示するために設置されてもよい。
【００４３】
いくつかの実施形態では、縦の方向性表面標識１２００、１２２０、１２４０、および矩形の方向性表面標識１２６０の組み合わせが使用されてもよい。いくつかの態様では、縦の方向性表面標識１２００、１２２０、１２４０は、病院のさまざまなエリアへの経路を表示してもよい。例えば第１の方向に進行している場合に、方向性メッセージ表示１２１０、１２３０、１２５０、１２７０は、第１の方向に行くと腫瘍内科、小児科、救急処置室、および通常出口、例えば、利用しやすい吹き抜け空間ではない可能性のあるエリアに達する場合のあることを表示してもよい。第２の方向に進行している場合には、方向性メッセージ表示１２１５、１２３５、１２５５、１２７５は、第２の方向に行くと産科、心臓内科、および非常口に達する場合のあることを表示してもよい。
【００４４】
いくつかの実施形態では、非常口の方向性メッセージ表示１２５５、１２７５は、さまざまな色を含んでいてもよく、これらの色は、非常口までの経路向けに可視性を強化する場合がある。いくつかの態様では、各方向性メッセージ１２１０、１２１５、１２３０、１２３５、１２５０、１２５５、１２７０、１２７５は、さまざまな色を含んでいてもよく、これらの色は、方向性表面標識１２００、１２２０、１２４０、１２６０の区分どうしの間で連続性があってもよい。例えば、産科への経路は桃色であってもよく、小児科への経路は青色であってもよく、そして非常口への経路はいずれも赤色であってもよい。いくつかの態様では、いくつかの方向性メッセージ表示は、低視認性の条件、例えば停電時の視認性を強化できるように被覆されてもよい。
【００４５】
図１３Ａ〜１３Ｂを参照すると、代表的な鉛直の方向性表面標識１３００が例示されており、図１３Ａおよび図１３Ｂには、反対方向からの方向性表面標識１３００の図が例示されている。いくつかの態様では、鉛直の方向性表面標識１３００は、下地面、例えば車道に垂直に設置された標示を含んでいてもよい。例えば、鉛直の方向性表面標識１３００は、方向転換の場所または出口に設置されている場合があって、正しく方向転換して出口に向かっている使用者は、出口がどこに向かうかを表示する方向性メッセージ１３１０を視認してもよい。逆走方向に道路を横切っている使用者は、自分たちが「逆走」進行していることを使用者に警報する場合のある方向性メッセージ１３１５を視認してもよい。
【００４６】
図１４Ａ〜１４Ｂを参照すると、鉛直の方向性表面標識１４１０、１４４０の代表的なシステム１４００、１４７０が例示されており、図１４Ａおよび図１４Ｂには、反対方向からの方向性表面標識１４１０、１４４０、１４７０の図が例示されている。いくつかの態様では、方向性表面標識１４１０、１４４０、１４７０は、歩行者通路上、例えば動物園のものの上に設置されてもよい。いくつかの態様では、複数の方向性表面標識１４１０、１４４０、１４７０は、歩行者通路上に置かれてもよい道標１４０５上に設置されている場合があって、この配置は、方向性メッセージ表示１４１５、１４２０、１４３５、１４４０、１４５５、１４６０の可視性を可能にする場合がある。例えば、システム１４００は、通路の縁で平行に設置されている場合があって、第１の方向に通路を横切る使用者は、第１の方向性メッセージ１４１５、１４３５、１４５５、例えば、アジアの循環路、アフリカの循環路に、そして食事の場所に向かう方向を視認してもよい。反対方向に通路を横切る使用者は、第２の方向性メッセージ１４２０、１４４０、１４６０、例えば、出口、オーストラリアの循環路、そして洗面所への方向を視認してもよい。
【００４７】
図１５Ａを参照すると、方向性表面標識１５２０を製造するための代表的なモールドシステム１５００、１５３０が例示されている。いくつかの態様では、モールドシステム１５００は、上側のモールド１５０５と下側のモールド１５１０とを含んでいてもよい。いくつかの実施形態では、モールド工程は、上側のモールド１５０５と下側のモールド１５１０との間に材料を流し込むこと、そして引き続き、硬質になるまで材料を硬化させることを含んでいてもよい。いくつかの実装では、硬化させた材料は、モールドシステム１５００から引き出し、引き続き仕上してもよい。いくつかの態様では、仕上げは、輪郭層を精緻化することを含んでいる場合があって、精緻化の結果、鮮明な輪郭が得られる場合がある。いくつかの実施形態では、硬化させた材料は、例えば図１Ａに例示されるとおり、他の層に取付けてもよい。いくつかの態様では、硬化させた材料は、例えば図１８に例示されるとおり、被覆されてもよい。
【００４８】
図１５Ｂ〜１５Ｃを参照すると、代表的な方向性表面標識１５２０、１５３０が例示されており、方向性表面標識１５２０、１５３０は、モールドシステム１５００から製造されてもよい。いくつかの態様では、方向性表面標識１５２０、１５３０は、下地色を提供してもよい材料を利用して製造される場合があって、下地色は、方向性表面標識１５２０、１５３０の輪郭の少なくとも一つを意図した色であってもよい。いくつかの実装では、モールドシステム１５００は、特定の寸法にした方向性表面標識１５２０、１５３０、例えば、縦の方向性表面標識１５３０または横の方向性表面標識１５２０を製造するように設定されてもよい。
【００４９】
図１６を参照すると、代表的なカレンダー加工システム１６００が例示されており、カレンダー加工システム１６００は、方向性表面標識を製造するのに使用してもよい。典型的にはカレンダー加工は、加熱したロール１６２０の一つまたは複数の対に単一の繋がったシート１６１０通過させることによる製造の最中に、材料を平滑化および圧縮する製造工程であって、組み合わせた加熱されたロール１６２０はカレンダーと称される。いくつかの態様では、加熱したロール１６２０は、硬質になった表面を伴う鋼、または繊維を用いて覆われた鋼から構築されてもよい。いくつかの実施形態では、加熱したロール１６２０の一つが輪郭形成表面を含んでいる場合があって、加熱したロール１６２０を連続したシート１６１０が通過するさいに、少なくとも一つの表面１６２５が輪郭層を含んでいてもよい。いくつかの実装では、加工されたシート１６３０をロール加工してもよく、これにより、設置のために個別に最適化された寸法が可能になる場合がある。
【００５０】
図１７を参照すると、代表的なローラー１７１０が例示されており、ローラー１７１０を下地面１７０５上に直接使用して方向性表面標識を作り出してもよい。いくつかの態様では、ローラー１７１０は、下地面１７０５上を運転する場合もある車両に取付けられている場合があって、ローラー１７１０は、一つまたは複数の輪郭を下地面１７０５に加えてもよい。いくつかの実装では、下地面１７０５は湿っていても、または部分的に湿っていてもよく、これよりローラー１７１０が、輪郭層１７１５を有する下地面１７０５を効果的に刻印することが可能になる場合がある。
【００５１】
図１８を参照すると、方向性表面標識１８００に塗料１８５５を付けるための代表的な塗装機構１８５０であり、第１の輪郭１８１０への塗料１８５５の付着によって、方向性メッセージ表示が加えられてもよい。いくつかの実施形態では、塗装機構１８５０は、特定の角度および方向で塗料１８５５を噴霧する場合があって、第２の輪郭１８０５上への噴霧しぶきが制限されるように、またはこれのないようにして、塗料１８５５の付着が第１の輪郭１８１０に適用されてもよい。いくつかの態様では、塗装機構１８５０を使用して、両方の輪郭１８１０、１８０５に、例えば、異なる色の塗料、異なる方向性メッセージ表示、または両方に適用されてもよい被膜を噴霧してもよい。いくつかの態様では、被膜は、非限定的な例として、噴霧、ブラシ、ロール、または印刷により付着されてもよい。
【００５２】
いくつかの実装では、方向性メッセージ表示は、ステンシル法を通じて加えられてもよい。いくつかの態様では、方向性メッセージのステンシルは、方向性表面標識１８００と同じまたは同様の材料を含んでいる場合があって、ステンシルの表面は、方向性表面標識１８００と反対の輪郭を含んでいてもよい。いくつかの実施形態では、方向性表面標識１８００の上にステンシルを置くことにより、被膜の漏れ、染み出し、しずく、または対象でない輪郭上への噴霧しぶきの危険性を制限または低減させてもよい。いくつかの態様では、いったん、被膜を付けると、ステンシルを除去して、対象である輪郭上に方向性メッセージを残してもよい。
【００５３】
結論
本開示の複数の実施形態を記載してきた。本明細書は、多くの特定の実装の詳細を含んでいる一方、あらゆる開示または特許請求の範囲を制限すると解釈されるのではなく、本開示の特定の実施形態に特化した特徴の記載として解釈されるのが望ましい。
【００５４】
別個の実施形態の文脈において本明細書に記載されている特定の特徴は、組み合わせで、または単一の実施形態で実現することもできる。反対に、単一の実施形態の文脈において記載されている様々な特徴は、複数の実施形態において組み合わせで、またはいかなる適切な部分的組み合わせでも実現することもできる。しかしながら、特徴は、特定の組み合わせで上記されていてもよい上に、最初からそのようなものとして特許請求されてもよいが、特許請求された組み合わせから得られる一つまたは複数の特徴を、場合によってはその組み合わせから切り出すことができ、そしてその特許請求される組み合わせは、部分的組み合わせ、または部分的組み合わせの変形例を対象としてもよい。
【００５５】
同様に、特定の順序で操作が図面に示されているが、このことは、示されている特定の順序で、または順次にそのような操作が実行されること、またはすべての例示の操作が実行されて所望の結果が実現されることが必要であるとは理解されないのが望ましい。特定の状況では、マルチタスクおよび並列処理が有利である場合がある。
【００５６】
さらには、上記の実施形態におけるさまざまなシステム構成部分の分離は、あらゆる実施形態においてそのような分離が必要であるとは理解されないのが望ましく、また、記載のプログラム構成部分およびシステムは概して、単一のソフトウェア製品にともに一体化することができる、または複数のソフトウェア製品にパッケージすることができると理解されたい。
【００５７】
このようにして、主題の特定の実施形態が記載された。他の実施形態は、以下の請求項の範囲内にある。場合によっては、請求項に記載の作用は、異なる順序で実行することができ、それでも所望の結果を実現することができる。加えて、添付図に図示された工程は、所望の結果を実現するには、示された特定の順序で、または順次、なされなければならないものでは必ずしもない。特定の実装では、マルチタスクおよび並列処理が有利である場合がある。それにもかかわらず、特許請求された開示の趣旨および範囲から逸脱することなしに様々な修正がなされてもよいことは理解されるであろう。
【図１Ａ】
2020526693.tif 000003
【図１Ｂ】
2020526693.tif 000004
【図２】
2020526693.tif 000005
【図３】
2020526693.tif 000006
【図４】
2020526693.tif 000007
【図５】
2020526693.tif 000008
【図６】
2020526693.tif 000009
【図７】
2020526693.tif 000010
【図８】
2020526693.tif 000011
【図９】
2020526693.tif 000012
【図１０】
2020526693.tif 000013
【図１１】
2020526693.tif 000014
【図１２】
2020526693.tif 000015
【図１３】
2020526693.tif 000016
【図１４】
2020526693.tif 000017
【図１５】
2020526693.tif 000018
【図１６】
2020526693.tif 000019
【図１７】
2020526693.tif 000020
【図１８】
2020526693.tif 000021
【国際調査報告】
2020526693.tif 000022
2020526693.tif 000023